(57)【要約】    【課題】無線タグを備えた原稿の画像を読取って複写する新規な複写機を提供する。    【解決手段】無線タグ５１には、複写制御情報が記憶されており、無線タグリーダ・ライタ４がその情報を読み出すと、操作部６においてその複写制御情報が表示される（ステップＳ６）。ユーザは、操作部６に表示された複写制御情報を確認した後、その複写制御情報が所望のものであれば、そのまま複写動作を行い、そうでなければ、操作部６を操作して複写制御情報の変更・修正を行う。その後は、通常通りに複写動作が行われる（ステップＳ７→Ｓ８→Ｓ９→Ｓ１０）。ステップＳ１０で新たに変更・修正した複写制御情報が無線タグ５１に書き込まれる場合には、変更前の複写制御情報が新たな複写制御情報に書き換えられる。【選択図】            図３
2005184364.tif 000002
【特許請求の範囲】
【請求項１】
無線タグを備えた原稿の画像を読取って複写する複写機であって、
上記原稿に備えられた上記無線タグとの間で非接触でデータの送受信を行うためのリーダ・ライタと、
上記原稿から読取った画像データに対して、複写のために必要な複写制御情報を設定する設定手段と、
上記設定手段で設定された複写制御情報に従って、複写処理を実行する複写エンジンと、
上記設定手段に設定された複写制御情報を上記リーダ・ライタによって上記原稿の無線タグへ書き込む処理手段と、
を有することを特徴とする複写機。
【請求項２】
上記処理手段は、上記複写エンジンによる複写処理に先立ち、上記リーダ・ライタによって上記原稿に備えられた無線タグからの情報を読み出し、読み出した情報を上記設定手段に複写制御情報として設定することを特徴とする請求項１に記載の複写機。
【請求項３】
上記設定手段に設定された複写制御情報を変更・修正するための操作部が備えられていることを特徴とする請求項１または２に記載の複写機。
【発明の詳細な説明】
【技術分野】
【０００１】
この発明は、複写機に関し、特に無線タグを備えた原稿の画像を読取って複写する複写機に関する。
【背景技術】
【０００２】
近年、複写機の高品質化によって、様々な印刷物を作成することができるようになっている。たとえば、ユーザは、濃度設定、シャープネス設定およびフィニッシャ設定等を種々に設定して複写を行わせることで、所望の印刷物を得ることができる。しかし、詳細な設定を行うことができるようになった一方で、設定情報の細分化に伴いユーザが行うべき操作が煩雑化している。
【０００３】
そこで、たとえば特許文献１に記載のように、読取る原稿の内容に、各種設定の情報をバーコード化して予め記載しておき、そのバーコードを読取ることで各種設定が自動的に行われる装置が提案されている。
【特許文献１】特開平０９−３３０００７号公報
【発明の開示】
【発明が解決しようとする課題】
【０００４】
しかしながら、上記の先行技術では、原稿の内容に予め設定情報が記載されているため、ユーザはその設定情報を変更することができないという問題がある。
ところで、近年、無線タグと称される超小型の無線式メモリチップが実用化され、この無線タグを用紙に埋設したり貼り付けたりすることが可能となっている。すなわち、原稿用紙に無線タグを備え、その無線タグに種々の情報を記憶させることも可能である。
【０００５】
この発明は、かかる技術背景のもとになされたものであり、各種設定動作が単純化され、かつ、各種設定の変更を容易に行うことのできる複写機を提供することを目的とし、より詳しくは、無線タグを備えた原稿の画像を読取って複写する新規な複写機を提供することを目的とする。
【課題を解決するための手段】
【０００６】
上記目的を達成するための請求項１記載の発明は、無線タグ（５１）を備えた原稿（５）の画像を読取って複写する複写機（１）であって、上記原稿に備えられた上記無線タグとの間で非接触でデータの送受信を行うためのリーダ・ライタ（４）と、上記原稿から読取った画像データに対して、複写のために必要な複写制御情報を設定する設定手段（６）と、上記設定手段で設定された複写制御情報に従って、複写処理を実行する複写エンジン（７，Ｓ８）と、上記設定手段に設定された複写制御情報を上記リーダ・ライタによって上記原稿の無線タグへ書き込む処理手段（Ｓ９）と、を有することを特徴とする複写機である。
【０００７】
なお、括弧内の英数字は、後述の実施形態における対応構成要素などを表す。以下、この項において同じ。
この発明によれば、複写機における複写制御情報は、リーダ・ライタによって原稿の無線タグに書き込まれる。つまり、原稿ごとに複写処理時に設定されている複写制御情報が無線タグに記憶されることになる。これにより、原稿ごとで複写処理時の複写制御情報が異なっていても、その複写制御情報は確実に記憶される。
【０００８】
そして、請求項２記載の発明のように、上記処理手段は、上記複写エンジン（７）による複写処理に先立ち、上記リーダ・ライタ（４）によって上記原稿に備えられた無線タグ（５１）からの情報を読み出し、読み出した情報を上記設定手段（６）に複写制御情報として設定する（Ｓ６）ことを特徴とする請求項１に記載の複写機とすれば、原稿ごとの複写処理時の複写制御情報が設定手段に設定される。よって、原稿を複写処理したときの複写制御情報が確実に再現される。また、リーダ・ライタが無線タグとの間で非接触でデータの送受信を行うので、設定手段に複写制御情報を設定する動作が単純なものとなる。
【０００９】
なお、無線タグとは、超小型の無線式メモリチップであり、非接触でデータの記憶および読み出しが行われるものである。また、複写制御情報には、たとえば、濃度設定、拡大・縮小設定、シャープネス設定およびフィニッシャ設定等の設定情報が含まれる。
さらに、請求項３記載の発明のように、上記設定手段に設定された複写制御情報を変更・修正するための操作部（６）が備えられていることを特徴とする請求項１または２に記載の複写機であれば、原稿に備えられた無線タグには、変更・修正された複写制御情報が書き込まれ、後に、その原稿の無線タグの情報がリーダ・ライタによって読み出されると、変更・修正された複写制御情報が設定手段に設定される。よって、複写制御情報の設定の変更が容易に行われるものであるといえる。
【発明を実施するための最良の形態】
【００１０】
以下では、この発明の実施の形態を、添付図面を参照して詳細に説明する。
図１は、この発明の一実施形態にかかる複写機１の外観構成を簡略化して示す正面図である。複写機１は、略箱形のハウジング２と、ハウジング２の上方に備えられた画像読取装置３と、画像読取装置３に備えられた無線タグリーダ・ライタ４とを備える。画像読取装置３は、セットされた原稿を移動させながらその内容を読取ることのできる原稿移動式読取機能を有しており、この実施形態では、原稿５の内容を画像読取装置３内を移動させながら読取る。
【００１１】
図２は、複写機１の電気的構成を示すブロック図である。以下、図２を用いて複写機１の構成を詳しく説明する。
複写機１は、原稿５の内容を画像データとして読取る画像読取装置３と、原稿５に備えられた無線タグ５１との間でデータの送受信を行う無線タグリーダ・ライタ４と、濃度設定、拡大・縮小設定、シャープネス設定およびフィニッシャ設定等の複写制御情報を設定する操作部６と、画像読取装置３が読取った画像データを設定されている複写制御情報に基づいて用紙に印字する画像印字装置７と、これらの動作を制御する制御装置８とを備えている。
【００１２】
原稿５に備えられている無線タグ５１は、超小型の無線式メモリチップであって様々な情報が記憶され得るものであり、原稿５の外縁付近に貼り付けられている。また、無線タグリーダ・ライタ４は、無線タグ５１への情報の書き込みおよび無線タグ５１に書き込まれた（記憶された）情報の読み出しを非接触で行う。
無線タグリーダ・ライタ４は、前述のように、画像読取装置３に備えられ、より詳しくは、画像読取装置３に原稿５がセットされた状態および読取られた後の状態において、原稿５の無線タグ５１との間でデータの送受信が行える画像読取装置３の所定の位置に備えられている。
【００１３】
後述のように、無線タグ５１には複写制御情報が記憶される。複写機１は、無線タグリーダ・ライタ４が無線タグ５１との間で非接触でデータの送受信を行うことで、原稿５（無線タグ５１）に記憶された複写制御情報に基づいて印字動作を行う。
図３は、複写機１の制御手順を示すフローチャートである。以下、図３のフローチャートを用いて複写機１の動作をさらに詳しく説明する。
【００１４】
ユーザによって原稿５が画像読取装置３にセットされ、セットされた原稿５が検知されると（ステップＳ１でＹＥＳ）、無線タグリーダ・ライタ４によって原稿５に備えられた無線タグ５１の情報が読取られる（ステップＳ２）。このとき、原稿５に無線タグ５１が備えられていなければ（ステップＳ３でＮＯ）、無線タグリーダ・ライタ４は何も読取らないから、制御装置８は、原稿５が通常の原稿であると認識し通常のコピー動作が行われる。すなわち、画像読取装置３が原稿５の内容を画像データとして読取り、画像印字装置７が設定されている複写制御情報に基づいてその画像データを用紙に印字して複写動作が終了される（ステップＳ４）。
【００１５】
原稿５には無線タグ５１が備えられているので（ステップＳ３でＹＥＳ）、無線タグリーダ・ライタ４によって、無線タグ５１に記憶されている情報が読み出される。操作部６は、複写制御情報を入力する入力装置としての機能とともに、各種の表示を行う表示装置としての機能を有しており、無線タグ５１に複写制御情報が記憶されていれば（ステップＳ５でＹＥＳ）、その情報が操作部６に表示される（ステップＳ６）。
【００１６】
この場合、無線タグ５１には複写制御情報が記憶されていないので（ステップＳ５でＮＯ）、操作部６には複写制御情報は表示されない。そして、操作部６に、複写制御情報の設定および複写動作の開始を要求する旨が表示されると（ステップＳ７）、その表示に従って、ユーザは操作部６を操作し、複写制御情報を設定して複写動作の開始を指示する。たとえば、この説明においては、複写制御情報として、濃度を濃くするように複写制御情報が設定されたとする。
【００１７】
そして、画像読取装置３が、セットされた原稿５の内容を画像データとして読取り、画像印字装置７が上記設定された複写制御情報に基づいて画像を用紙に印字する。すなわち、濃度が濃くされた画像が用紙に印字される（ステップＳ８）。
画像印字装置７によって用紙に画像が印字されると、操作部６に、当該複写動作における複写制御情報を無線タグ５１に記憶するか否かの選択が要求される（ステップＳ９）。ユーザが複写制御情報を無線タグ５１に記憶することを選択しない場合は（ステップＳ９でＮＯ）、無線タグ５１には情報が記憶されずに複写動作が終了する。一方、ユーザが複写制御情報を無線タグ５１に記憶することを選択すると（ステップＳ９でＹＥＳ）、当該複写動作における複写制御情報が無線タグ５１に記憶されて複写動作が終了する（ステップＳ１０）。
【００１８】
なお、この説明では、ユーザが複写制御情報を無線タグ５１に記憶することを選択したとする。すなわち、濃度を濃くする旨の複写制御情報が無線タグ５１に記憶されて複写動作が終了する。
その後、再度原稿５が画像読取装置３にセットされると、無線タグリーダ・ライタ４によって、無線タグ５１に記憶された上記複写制御情報が読み出される。なお、ステップＳ１→Ｓ２→Ｓ３→Ｓ５の動作は上記と同様であるので説明を省略する。
【００１９】
無線タグ５１には、上記の動作によって、濃度を濃くする旨の複写制御情報が記憶されているので、操作部６において、その複写制御情報が表示される（ステップＳ６）。ユーザは、操作部６に表示された複写制御情報を確認した後、その複写制御情報が所望のものであれば、そのまま複写動作を行い、そうでなければ、操作部６を操作して複写制御情報の変更・修正を行う。その後は、上記と同様にして、複写動作が終了される（ステップＳ７→Ｓ８→Ｓ９→Ｓ１０）。なお、ステップＳ１０で、新たに変更・修正した複写制御情報が無線タグ５１に書き込まれる場合には、変更前の複写制御情報が新たな複写制御情報に書き換えられる。
【００２０】
これにより、ユーザは、操作部６を操作するのみで、複写処理時の複写制御情報を原稿５の無線タグ５１に記憶しておくことができ、再度その原稿５を読取るときはその複写制御情報が確実に再現される。また、複写制御情報を変更・修正した場合は、原稿５の無線タグ５１には記憶されている複写制御情報が新たな複写制御情報に書き換えられるので、無線タグ５１に記憶された複写制御情報の変更も容易に行える。
【００２１】
なお、上記の説明では、ユーザが複写制御情報を無線タグ５１に記憶することを選択した場合に、無線タグリーダ・ライタ４により無線タグ５１に複写制御情報が書き込まれる（書き換えられる）としたが、ユーザの選択を必要とせず、複写動作が行われるたびに自動的に無線タグリーダ・ライタ４が無線タグ５１に複写制御情報を書き込む（書き換える）構成であってもよい。このようにすれば、ユーザの行うべき操作をより簡易なものとすることができる。
【００２２】
この発明は、以上説明した実施形態に限定されるものではなく、請求項記載の範囲内において種々の変更が可能である。
【図面の簡単な説明】
【００２３】
【図１】この発明の一実施形態にかかる複写機の外観構成を簡略化して示す正面図である。
【図２】複写機の電気的構成を示すブロック図である。
【図３】複写機の制御手順を示すフローチャートである。
【符号の説明】
【００２４】
１      複写機
４      無線タグリーダ・ライタ
５      原稿
６      操作部
７      画像印字装置
５１    無線タグ
【図１】
2005184364.tif 000003
【図２】
2005184364.tif 000004
【図３】
2005184364.tif 000005